(57)【特許請求の範囲】
【請求項１】
複数の被選択接点が形成されている回路基板と、上記被選択接点のいずれかに選択的に接触する板バネ材からなる接点金具を有し上記回路基板と対向して平行に配置されるスライダ板と、上記スライダ板を上記回路基板に対して所定方向に移動させて上記接点金具を所望とする上記被選択接点に接触させる操作つまみとを含み、上記操作つまみに、上記スライダ板を所定方向に移動させる際に、上記接点金具を上記被選択接点と非接触となるように、上記回路基板に対して上記スライダ板を離反させる昇降手段が設けられているスイッチ装置において、
当該スイッチ装置がロータリースイッチで、上記操作つまみは、回転可能なつまみ本体と、上記つまみ本体に対して同軸で、かつ、軸線方向に可動である回転軸とを有し、上記スライダ板が上記回転軸に一体的に取り付けられており、上記昇降手段が、上記つまみ本体のつまみ部に設けられた押し込みスイッチであり、上記押し込みスイッチには、その押し込み操作に伴って上記回転軸に作用し、上記回転軸を所定方向に移動させて上記回路基板に対して上記スライダ板を離反させるカムが設けられており、
上記被選択接点が上記回路基板の下面側に配置されており、上記回転軸が上記つまみ本体側から上記回路基板を貫通して上記回路基板の下面側にまで延びていて、上記スライダ板が上記回路基板の下面と対面するように上記回転軸の下端側に取り付けられているとともに、上記スライダ板の接点金具が上記回路基板に弾性的に接触するように上記回転軸を押し上げる方向に付勢するバネ手段を備え、
上記押し込みスイッチは、上記つまみ本体の回転軸線に対してほぼ直交する方向に移動可能であり、その押し込み時に上記カムにより上記回転軸が上記バネ手段の付勢力に抗して押し下げられることを特徴とするスイッチ装置。
【請求項２】
上記カムは上記回転軸の頭部に当接する押し下げ傾斜面を有する押し下げ傾斜カムよりなることを特徴とする請求項１に記載のスイッチ装置。
【請求項３】
複数の被選択接点が形成されている回路基板と、上記被選択接点のいずれかに選択的に接触する板バネ材からなる接点金具を有し上記回路基板と対向して平行に配置されるスライダ板と、上記スライダ板を上記回路基板に対して所定方向に移動させて上記接点金具を所望とする上記被選択接点に接触させる操作つまみとを含み、上記操作つまみに、上記スライダ板を所定方向に移動させる際に、上記接点金具を上記被選択接点と非接触となるように、上記回路基板に対して上記スライダ板を離反させる昇降手段が設けられているスイッチ装置において、
当該スイッチ装置がロータリースイッチで、上記操作つまみは、回転可能なつまみ本体と、上記つまみ本体に対して同軸で、かつ、軸線方向に可動である回転軸とを有し、上記スライダ板が上記回転軸に一体的に取り付けられており、上記昇降手段が、上記つまみ本体のつまみ部に設けられた押し込みスイッチであり、上記押し込みスイッチには、その押し込み操作に伴って上記回転軸に作用し、上記回転軸を所定方向に移動させて上記回路基板に対して上記スライダ板を離反させるカムが設けられており、
上記被選択接点が上記回路基板の上面側に配置されており、上記スライダ板が上記回路基板の上面と対面するように上記回転軸に取り付けられているとともに、上記スライダ板の接点金具が上記回路基板に弾性的に接触するように上記回転軸を押し下げる方向に付勢するバネ手段を備え、
上記押し込みスイッチは、上記つまみ本体の回転軸線に対してほぼ直交する方向に移動可能であり、その押し込み時に上記カムにより上記回転軸が上記バネ手段の付勢力に抗して押し上げられることを特徴とするスイッチ装置。
【請求項４】
上記カムは押し上げ傾斜面を有する押し上げカムよりなり、上記回転軸側には上記押し上げ傾斜面に摺接する従動係合面が形成されていることを特徴とする請求項３に記載のスイッチ装置。
【請求項５】
上記カムが、上記つまみ本体のつまみ部に左右一対として配置されていることを特徴とする請求項３または４に記載のスイッチ装置。
【請求項６】
複数の被選択接点が形成されている回路基板と、上記被選択接点のいずれかに選択的に接触する板バネ材からなる接点金具を有し上記回路基板と対向して平行に配置されるスライダ板と、上記スライダ板を上記回路基板に対して所定方向に移動させて上記接点金具を所望とする上記被選択接点に接触させる操作つまみとを含み、上記操作つまみに、上記スライダ板を所定方向に移動させる際に、上記接点金具を上記被選択接点と非接触となるように、上記回路基板に対して上記スライダ板を離反させる昇降手段が設けられているスイッチ装置において、
当該スイッチ装置が上記操作つまみを直線的に移動させるスライドスイッチで、上記被選択接点が上記回路基板の上面側に配置されており、上記スライダ板が上下動可能として上記回路基板の上面と対面するように上記操作つまみに支持されているとともに、上記スライダ板の接点金具が上記回路基板に弾性的に接触するように上記スライダ板を押し下げる方向に付勢するバネ手段を備え、
上記昇降手段が、上記つまみ本体のつまみ部に左右一対として設けられた押し込みスイッチであり、上記各押し込みスイッチと上記スライダ板との間に、上記各押し込みスイッチにかけられる押し込み力を上記スライダ板の持ち上げ力に変換する力学的な運動変換手段が設けられており、上記各押し込みスイッチにかけられる押し込み力により、上記運動変換手段を介して上記スライダ板が上記バネ手段の付勢力に抗して持ち上げられることを特徴とするスイッチ装置。
【請求項７】
上記運動変換手段は、上記各押し込みスイッチにより回転する上記操作つまみ側の回転体と、上記回転体の所定の偏心箇所と上記スライダ板との間を連結する連結軸とを備える回転−直線運動変換機構からなることを特徴とする請求項６に記載のスイッチ装置。
【請求項８】
上記運動変換手段は、上記各押し込みスイッチ側に形成された持ち上げ傾斜面を有する持ち上げ傾斜カムと、上記持ち上げ傾斜面に摺接するように上記スライダ板側に形成された従動係合面との組み合わせからなることを特徴とする請求項６に記載のスイッチ装置。
【発明の詳細な説明】
【技術分野】
【０００１】
本発明は、テスタ(回路計）などにおいて、その測定レンジや測定機能の切替装置として搭載されるスイッチ装置に係り、さらに詳しく言えば、可動接点金具が回路基板上を摺動することに起因する基板レジストの削り粉等の発生や可動接点金具の破損等を防止する技術に関するものである。
【背景技術】
【０００２】
電圧値、電流値および抵抗値等を測定するテスタやその他の電気測定器等には、その測定レンジや測定機能等の切替装置として、スライドスイッチやロータリースイッチが多く用いられている。
【０００３】
このうち、スライドスイッチは、回路基板上に形成されている複数の導通接点の上を滑るように動く可動接点金具を備え、操作つまみを直線的に移動させることにより、可動接点金具を回路基板上の選択した所定の導通接点に接触させる。
【０００４】
また、ロータリースイッチは、円運動をする可動接点金具と、回路基板上に形成されている複数の導通接点から構成され、操作つまみを回転させることにより、その回転角度によって可動接点金具を回路基板上の選択した所定の導通接点に接触させる（例えば、特許文献１参照）。
【０００５】
図１０および図１１に、例えば、テスタに搭載されている従来のロータリースイッチの一例を示す。このロータリースイッチ１は、テスタのケース本体に回動可能に保持されており、ケース本体内には、回路基板２などの構成部品が配設されている。回路基板２上には、共通接点と、共通接点の周りに配置された複数の導通接点（いずれも図示省略）とが形成されている。
【０００６】
この例では、作図の都合上、テスタのケース本体の上ケース３の一部のみを示して説明しているが、ケース本体は、上ケース３と図示しない下ケースとでほぼ直方体形状に構成されており、上ケース３には、ロータリースイッチ１以外にも表示部やファンクション選択部等が配置されてよい。
【０００７】
この例において、ロータリースイッチ１は測定レンジ切替用であり、上ケース３の表面に円盤状のレンジ切替部４を備えている。レンジ切替部４は、上ケース３の円形開口３ａに回転自在に嵌合されている。
【０００８】
レンジ切替部４には、その径方向に跨がるように突設されたほぼ矩形状の操作つまみ４ａが一体的に設けられており、この操作つまみ４ａを指で挟んで回転させることにより、所望とする測定レンジ（導通接点）が選択される。
【０００９】
上ケース３内において、回路基板２上には、その導通接点に接触する可動接点金具６を有するスライダ板５が配設されている。可動接点金具６には、通常、板バネ材が用いられる。
【００１０】
この例において、スライダ板５は、レンジ切替部４の回転に伴って回転するロータ７と一体的に設けられており、ロータ７は、レンジ切替部４の軸心位置に配設された支軸８に軸支されるようになっている。
【００１１】
なお、図示しないが、ロータ７の周りには、回路基板２からのスライダ板５の浮き上がりを防止するため、スライダ板５を回路基板２に向けて付勢する圧縮コイルバネが設けられている。
【００１２】
測定レンジの切り替えは、操作つまみ４ａを介してレンジ切替部４を所定角度回転させることにより行われるが、この回転に伴って、可動接点金具６は回路基板２に弾性的に接触した状態で摺動する。
【００１３】
そのため、接点金具６が回路基板２上のレジスト等を削ってしまうことがあり、この削り粉によって接触抵抗が増大し、最悪の場合には、絶縁状態となることもある。また、接点金具６が回路基板２上のパターン段差に引っかかり、破損するということもあり得る。
【先行技術文献】
【特許文献】
【００１４】
【特許文献１】特開平５−１０１７４５号公報
【発明の概要】
【発明が解決しようとする課題】
【００１５】
したがって、本発明の課題は、接点金具の移動時には、接点金具を回路基板と非接触として、上記した削り粉の発生や接点金具の破損を防止することにある。
【課題を解決するための手段】
【００１６】
上記課題を解決するため、請求項１に係る発明は、複数の被選択接点が形成されている回路基板と、上記被選択接点のいずれかに選択的に接触する板バネ材からなる接点金具を有し上記回路基板と対向して平行に配置されるスライダ板と、上記スライダ板を上記回路基板に対して所定方向に移動させて上記接点金具を所望とする上記被選択接点に接触させる操作つまみとを含み、上記操作つまみに、上記スライダ板を所定方向に移動させる際に、上記接点金具を上記被選択接点と非接触となるように、上記回路基板に対して上記スライダ板を離反させる昇降手段が設けられているスイッチ装置において、
当該スイッチ装置がロータリースイッチで、上記操作つまみは、回転可能なつまみ本体と、上記つまみ本体に対して同軸で、かつ、軸線方向に可動である回転軸とを有し、上記スライダ板が上記回転軸に一体的に取り付けられており、上記昇降手段が、上記つまみ本体のつまみ部に設けられた押し込みスイッチであり、上記押し込みスイッチには、その押し込み操作に伴って上記回転軸に作用し、上記回転軸を所定方向に移動させて上記回路基板に対して上記スライダ板を離反させるカムが設けられており、上記被選択接点が上記回路基板の下面側に配置されており、上記回転軸が上記つまみ本体側から上記回路基板を貫通して上記回路基板の下面側にまで延びていて、上記スライダ板が上記回路基板の下面と対面するように上記回転軸の下端側に取り付けられているとともに、上記スライダ板の接点金具が上記回路基板に弾性的に接触するように上記回転軸を押し上げる方向に付勢するバネ手段を備え、上記押し込みスイッチは、上記つまみ本体の回転軸線に対してほぼ直交する方向に移動可能であり、その押し込み時に上記カムにより上記回転軸が上記バネ手段の付勢力に抗して押し下げられることを特徴としている。
【００１９】
請求項２に係る発明は、上記請求項１において、上記カムは上記回転軸の頭部に当接する押し下げ傾斜面を有する押し下げ傾斜カムよりなることを特徴としている。
【００２０】
請求項３に係る発明は、複数の被選択接点が形成されている回路基板と、上記被選択接点のいずれかに選択的に接触する板バネ材からなる接点金具を有し上記回路基板と対向して平行に配置されるスライダ板と、上記スライダ板を上記回路基板に対して所定方向に移動させて上記接点金具を所望とする上記被選択接点に接触させる操作つまみとを含み、上記操作つまみに、上記スライダ板を所定方向に移動させる際に、上記接点金具を上記被選択接点と非接触となるように、上記回路基板に対して上記スライダ板を離反させる昇降手段が設けられているスイッチ装置において、
当該スイッチ装置がロータリースイッチで、上記操作つまみは、回転可能なつまみ本体と、上記つまみ本体に対して同軸で、かつ、軸線方向に可動である回転軸とを有し、上記スライダ板が上記回転軸に一体的に取り付けられており、上記昇降手段が、上記つまみ本体のつまみ部に設けられた押し込みスイッチであり、上記押し込みスイッチには、その押し込み操作に伴って上記回転軸に作用し、上記回転軸を所定方向に移動させて上記回路基板に対して上記スライダ板を離反させるカムが設けられており、上記被選択接点が上記回路基板の上面側に配置されており、上記スライダ板が上記回路基板の上面と対面するように上記回転軸に取り付けられているとともに、上記スライダ板の接点金具が上記回路基板に弾性的に接触するように上記回転軸を押し下げる方向に付勢するバネ手段を備え、上記押し込みスイッチは、上記つまみ本体の回転軸線に対してほぼ直交する方向に移動可能であり、その押し込み時に上記カムにより上記回転軸が上記バネ手段の付勢力に抗して押し上げられることを特徴としている。
【００２１】
請求項４に係る発明は、上記請求項３において、上記カムは押し上げ傾斜面を有する押し上げカムよりなり、上記回転軸側には上記押し上げ傾斜面に摺接する従動係合面が形成されていることを特徴としている。
【００２２】
請求項５に係る発明は、上記請求項３または４において、上記カムが、上記つまみ本体のつまみ部に左右一対として配置されていることを特徴としている。
【００２３】
請求項６に係る発明は、複数の被選択接点が形成されている回路基板と、上記被選択接点のいずれかに選択的に接触する板バネ材からなる接点金具を有し上記回路基板と対向して平行に配置されるスライダ板と、上記スライダ板を上記回路基板に対して所定方向に移動させて上記接点金具を所望とする上記被選択接点に接触させる操作つまみとを含み、上記操作つまみに、上記スライダ板を所定方向に移動させる際に、上記接点金具を上記被選択接点と非接触となるように、上記回路基板に対して上記スライダ板を離反させる昇降手段が設けられているスイッチ装置において、
当該スイッチ装置が上記操作つまみを直線的に移動させるスライドスイッチで、上記被選択接点が上記回路基板の上面側に配置されており、上記スライダ板が上下動可能として上記回路基板の上面と対面するように上記操作つまみに支持されているとともに、上記スライダ板の接点金具が上記回路基板に弾性的に接触するように上記スライダ板を押し下げる方向に付勢するバネ手段を備え、上記昇降手段が、上記つまみ本体のつまみ部に左右一対として設けられた押し込みスイッチであり、上記各押し込みスイッチと上記スライダ板との間に、上記各押し込みスイッチにかけられる押し込み力を上記スライダ板の持ち上げ力に変換する力学的な運動変換手段が設けられており、上記各押し込みスイッチにかけられる押し込み力により、上記運動変換手段を介して上記スライダ板が上記バネ手段の付勢力に抗して持ち上げられることを特徴としている。
【００２４】
請求項７に係る発明は、上記請求項６において、上記運動変換手段は、上記各押し込みスイッチにより回転する上記操作つまみ側の回転体と、上記回転体の所定の偏心箇所と上記スライダ板との間を連結する連結軸とを備える回転−直線運動変換機構からなることを特徴としている。
【００２５】
請求項８に係る発明は、上記請求項６において、上記運動変換手段は、上記各押し込みスイッチ側に形成された持ち上げ傾斜面を有する持ち上げ傾斜カムと、上記持ち上げ傾斜面に摺接するように上記スライダ板側に形成された従動係合面との組み合わせからなることを特徴としている。
【発明の効果】
【００２６】
本発明によれば、操作つまみに、スライダ板を所定方向に移動させる際に、スライダ板に設けられている接点金具を回路基板上に形成されている被選択接点と非接触となるように、回路基板に対してスライダ板を離反させる昇降手段が設けられていることにより、接点金具の摺動による削り粉の発生や、接点金具が回路基板上のパターン段差に引っかかることによる接点金具の破損等を防止することができる。
【００２７】
また、昇降手段が押し込みスイッチとして、つまみ本体のつまみ部に設けられていることにより、ロータリースイッチおよびスライドスイッチのいずれの場合においても、操作つまみを指で挟むという自然な指の動きの中で押し込みスイッチを操作することができるため、操作するうえできわめて便利である。
【図面の簡単な説明】
【００２８】
【図１】本発明の一実施形態に係るロータリースイッチを示す斜視図。
【図２】上記ロータリースイッチの常態での内部構造を示す断面図。
【図３】上記ロータリースイッチの操作時における内部構造を示す断面図。
【図４】本発明の別の実施形態に係るロータリースイッチを示す平面図。
【図５】上記別の実施形態に係るロータリースイッチの常態での内部構造を示す断面図。
【図６】上記別の実施形態に係るロータリースイッチの操作時における内部構造を示す断面。
【図７】本発明の一実施形態に係るスライドスイッチを示す斜視図。
【図８】上記スライドスイッチの常態での内部構造を示す断面図。
【図９】上記スライドスイッチの操作時における内部構造を示す断面図。
【図１０】従来のロータリースイッチの一例を示す斜視図。
【図１１】従来のロータリースイッチの内部構造を示す断面図。
【発明を実施するための形態】
【００２９】
次に、図１ないし図９により、本発明のいくつかの実施形態を説明するが、本発明はこれに限定されるものではない。
【００３０】
まず、図１ないし図３により、本発明の第１実施形態に係るロータリースイッチ１０について説明する。
【００３１】
このロータリースイッチ１０は、テスタ等のケース本体に回転可能に保持されており、ケース本体内には、回路基板１１等の構成部品が配置されている。なお、図１ないし図３には、ケース本体の上ケース１２のみが示されているが、ケース本体は、上ケース１２と図示しない下ケースとでほぼ直方体形状に構成されている。
【００３２】
回路基板１１は、上ケース１２の内部に形成されている取付ボス１２２にほぼ水平となるようにネジ止めされているが、この実施形態において、回路基板１１の下面１１ａ側に、共通接点と、共通接点の周りに配置された複数の被選択接点（いずれも図示省略）とが所定のパターンで形成されている。被選択接点は固定接点であり、上記従来例で説明した導通接点に相当する。
【００３３】
このロータリースイッチ１０は、円盤状に形成された操作つまみ（つまみ本体）１３を有し、操作つまみ１３は、上ケース１２のパネル面に形成されている円形開口部１２１内に回転自在に嵌合されている。図示を省略しているが、上ケース１２と操作つまみ１３との間には、操作つまみ１３の所定回転角度ごとにクリック力を発生するクリック力発生機構が設けられている。
【００３４】
操作つまみ１３には、その径方向に跨がるように突設された矩形状のつまみ部１３１が一体的に設けられており、操作つまみ１３を回転させる際、つまみ部１３１の両側面１３１ａ，１３１ｂが例えば親指と人差し指とにより挟まれる。
【００３５】
操作つまみ１３は、同操作つまみ１３と同軸で、かつ、その軸線方向（図２において上下方向）に移動可能な回転軸（操作軸）１６を備えている。操作つまみ１３と回転軸１６は、例えばスプライン嵌合により連結され、回転軸１６は、操作つまみ１３とともに回転するが、操作つまみ１３に対して軸線方向（上下方向）には移動可能である。
【００３６】
回転軸１６の下端は、回路基板１１に穿設されている開口部１１ｃを貫通して回路基板１１の下面１１ａ側にまで延びている。
【００３７】
この第１実施形態では、回路基板１１の下面１１ａ側に被選択接点が形成されていることから、スライダ板１４は、回路基板１１の下面１１ａ側に配置され、回転軸１６の下端側に一体的に取り付けられている。
【００３８】
これにより、操作つまみ１３の回転は、回転軸１６を介してスライダ板１４に伝達される。スライダ板１４には、回路基板１１の被選択接点に弾性的に接触する板バネ材からなる可動接点としての接点金具１５が設けられている。
【００３９】
このロータリースイッチ１０は、スライダ板１４を回路基板１１の下面１１ａ側に押し付けるバネ手段を備えている。この実施形態において、上記バネ手段は、回転軸１６の上端側に形成されているワッシャ状のストッパ１６１と回路基板１１との間で、回転軸１６の周りに配置された圧縮コイルバネ１８からなる。
【００４０】
本発明において、ロータリースイッチ１０は、操作つまみ１３を回転させる際、スライダ板１４を回路基板１１の下面１１ａから離反させて、回路基板１１に対して接点金具１５を非接触とするスライダ板１４の昇降手段を備える。
【００４１】
この実施形態において、上記昇降手段は、つまみ部１３１の片側の例えば側面１３１ａ側に設けられた押し込みスイッチ１９を含む。
【００４２】
押し込みスイッチ１９は、操作つまみ１３の回転軸線に対してほぼ直交する方向に移動可能であり、その押し込み操作面１９１が側面１３１ａに露出する態様でつまみ部１３１に移動可能に支持されている。詳細には図示しないが、つまみ部１３１には、押し込みスイッチ１９の移動方向を案内するガイド部材が設けられている。
【００４３】
押し込みスイッチ１９は、回転軸１６の頭部１６２の上方に配置される主軸１９２を有し、主軸１９２の下面側には、押し込みスイッチ１９を押し込む操作に伴って、回転軸１６を圧縮コイルバネ１８の付勢力に抗して押し下げる傾斜カム１９３が形成されている。
【００４４】
傾斜カム１９３は、押し込みスイッチ１９が図２の右方向に押し込まれる際、回転軸１６の頭部１６２に当接して回転軸１６を下方に移動させる押し下げ傾斜面１９３ａを備えるが、その一方で、傾斜カム１９３は、押し込みスイッチ１９が自由状態（指で押さえられていない無負荷状態）のときには、圧縮コイルバネ１８による上方への付勢力の反作用により、図２に示すように、回転軸１６の頭部１６２から外れた位置に保持される。
【００４５】
動作の一例について説明すると、操作つまみ１３が所定の回転位置にある場合には、図２に示すように、スライダ板１４は圧縮コイルバネ１８による上方への付勢力により回路基板１１の下面１１ａ側に付勢され、かつ、接点金具１５自らの弾性により、接点金具１５が所定の被選択接点に接触している。
【００４６】
上記の状態から、例えば測定レンジを切り替えるときには、つまみ部１３１が作業者の指（例えば、親指と人差し指）により挟まれるが、その挟み操作に伴って、押し込みスイッチ１９が図２の右方向に押し込まれると、傾斜カム１９３が回転軸１６の頭部１６２に当接し、図３に示すように、その押し下げ傾斜面１９３ａによって回転軸１６が圧縮コイルバネ１８の付勢力に抗して押し下げられる。
【００４７】
これに伴って、スライダ板１４も回路基板１１から離れる方向に移動（降下）し、被選択接点に対して接点金具１５が非接触の状態になる。
【００４８】
この状態で、操作つまみ１３を上記クリック力発生機構によるクリック力を発生させながら所定方向に回転させ、所望とする測定レンジの位置で、指をつまみ部１３１から離すと、圧縮コイルバネ１８の上方への付勢力により、スライダ板１４が回路基板１１に向けて移動（上昇）し、接点金具１５が上記測定レンジに対応した被選択接点に接触し導通がとられる。
【００４９】
このように、本発明によれば、操作つまみ１３の回転時には、接点金具１５を回路基板１１上のレジストや回路パターンと接触させることがないため、接点金具片１５のレジストの削りによる接触不良やパターンへの接触による接点金具片１５の損傷を防ぐことができる。
【００５０】
また、操作つまみ１３のつまみ部１３１を指で挟むという自然な指の動きの中で押し込みスイッチ１９を操作することができるため、操作するうえできわめて便利でもある。
【００５１】
次に、図４〜図６により、本発明の第２実施形態に係るロータリースイッチ２０について説明する。
【００５２】
このロータリースイッチ２０においても、上記第１実施形態と同様に、円盤状に形成された操作つまみ（つまみ本体）２３を有し、操作つまみ２３は、ケース本体の上ケース２２に形成されている円形開口部２２１内に回転自在に嵌合されている。操作つまみ２３には、上記つまみ部１３１と同様のつまみ部２３１が一体的に設けられている。
【００５３】
図示を省略しているが、上ケース２２と操作つまみ２３との間には、操作つまみ２３の所定回転角度ごとにクリック力を発生するクリック力発生機構が設けられている。
【００５４】
上記第１実施形態と同じく、回路基板２１は、上ケース２２内の取付ボス２２２にほぼ水平となるようにネジ止めされるが、この第２実施形態では、回路基板２１の上面２１ａ側に、共通接点と、共通接点の周りに配置された複数の被選択接点（いずれも図示省略）とが所定のパターンで形成されている。
【００５５】
この第２実施形態では、回路基板２１の上面２１ａ側に被選択接点が形成されていることから、スライダ板２４は、回路基板１１の上面２１ａ側に配置される。スライダ板２４内には、被選択接点に対する可動接点としての板バネ材からなる接点金具２５が設けられている。
【００５６】
スライダ板２４は、その上面側における中央部分（回転中心部分）に回転軸２６を備えている。回転軸２６は、つまみ部２３１内にまで延びる長さを有し、この第２実施形態において、回転軸２６は、スライダ板２４と一体に形成されている。
【００５７】
なお、スライダ板２４の下面側の中央部分には、回転軸２６と同軸で、回路基板２１に穿設されている開口部２１ｂ内に嵌合するすり割り状に形成された補助回転軸２４１が一体に設けられている。
【００５８】
回転軸２６は、縮径された首部（溝部）２６１と、首部２６１よりも大径の頭部２６２とを備えている。詳しくは図示しないが、操作つまみ２３のつまみ部２３１内には、頭部２６２が嵌合される穴が形成されており、その穴と頭部２６２は、例えばスプライン嵌合により連結され、回転軸２６は、操作つまみ２３とともに回転するが、操作つまみ２３に対して軸線方向（上下方向）には移動可能である。
【００５９】
また、操作つまみ２３とスライダ板２４との間で、回転軸２６の周りには圧縮コイルバネ２８が介装されている。この圧縮コイルバネ２８により、スライダ板２４および回転軸２６は、常時、回路基板２１側に向けて付勢され、接点金具２５が回路基板２１の上面２１ａから浮き上がらないようにされている。
【００６０】
このロータリースイッチ２０も、操作つまみ２３のつまみ部２３１にスライダ板２４の昇降手段としての押し込みスイッチ２９を備えるが、上記第１実施形態とは異なり、つまみ部２３１の側面２３１ａ，２３１ｂの各々に、押し込みスイッチ２９，２９が左右一対として設けられ、各側面２３１ａ，２３１ｂには、作業者の指により操作される押し込み部２９１，２９１が露出している。
【００６１】
押し込みスイッチ２９，２９は、操作つまみ２３の回転軸線に対してほぼ直交する方向に沿って互いに接近，離反するように移動する。
【００６２】
押し込みスイッチ２９，２９は左右対称形であり、ともに、回転軸２６の首部２６１の溝内に入り込み可能な摺動部２９２を有し、摺動部２９２の先端側の上面には、頭部２６２の下端縁２６２ａに当接する押し上げ傾斜面を有するカム２９３ａが形成されている。
【００６３】
すなわち、押し込みスイッチ２９，２９を互いに接近する方向に移動させると、カム２９３ａ，２３９ａが首部２６１内に入り込んで、頭部２６２の下端縁（カムの従動係合面）２６２ａに当接して頭部２６２を押し上げ、これにより、回転軸２６を介してスライダ板２４が圧縮コイルバネ２８の押し下げ付勢力に抗して押し上げられ、回路基板２１から離される。
【００６４】
その一方で、押し込みスイッチ２９，２９から指を離して無負荷とすると、圧縮コイルバネ２８の押し下げ付勢力により頭部２６２が下降する。その際、頭部２６２の下端縁２６２ａにより、カム２９３ａ，２９３ａの間隔が広げられ、押し込みスイッチ２９，２９は当初の位置にまで戻される。
【００６５】
このように、第２実施形態に係るロータリースイッチ２０においても、操作つまみ２３を回転させる際、つまみ部２３１の両側にある押し込みスイッチ２９，２９を例えば親指と人差し指とにより押し込むことにより、上記第１実施形態と同じく、接点切り替え時に、接点金具２５が回路基板２１上のレジストやパターンと接触することがなく、レジストの削り粉による接触不良やパターン接触による接点金具２５の損傷を防ぐことができる。
【００６６】
次に、図７ないし図９を参照して、本発明に第３実施形態に係るスライドスイッチ３０について説明する。
【００６７】
このスライドスイッチ３０において、操作つまみ３３は、テスタ等のケース本体の例えば上ケース３２に直線状に形成されているスライド溝３２１に沿って移動する。
【００６８】
なお、図７〜図９には、作図の都合上、テスタのケース本体の上ケース３２のみを示しているが、ケース本体は上ケース３２と下ケースとでほぼ直方形状に形成されており、ケース本体内の所定位置には回路基板３１等が配設されている。
【００６９】
回路基板３１は、上記各実施形態と同様に、上ケース３２内においてほぼ水平に配置されるが、この第３実施形態では、回路基板３１の上面３１ａ側に、共通接点および被選択接点（ともに図示しない）が形成されており、その関係で、スライダ板３４は、回路基板３１の上面３１ａ側に配置されている。
【００７０】
スライダ板３４の下面３４ａには、被選択接点と接触する板バネ材からなる接点金具３６が配置されているが、スライダ板３４の上面３４ｂのほぼ中央部分には、支持板３５が連設されている。
【００７１】
また、操作つまみ３３には、スライダ板３４の全体を覆うカバー部材３８が設けられている。カバー部材３８とスライダ板３４との間には、スライダ板３４を回路基板３１側に向けて付勢する板バネ３７が配置されている。
【００７２】
操作つまみ３３とスライダ板３４は、後述するスライダ板昇降手段により連結されており、操作つまみ３３，スライダ板３４およびカバー部材３８は、ともに一体となって移動する。
【００７３】
この第３実施形態に係るスライドスイッチ３０も、上記第１，第２の各実施形態に係るロータリースイッチ１０，２０と同様に、操作つまみ３３にスライダ板３４の昇降手段としての押し込みスイッチ３８が設けられている。
【００７４】
この実施形態において、押し込みスイッチ３８は、操作つまみ３３のスライド方向の両側に、押し込み部３８１を露出させた態様で左右一対として配置されているが、押し込みスイッチ３８は、操作つまみ３３のスライド方向と直交する側面の両側に設けられてもよい。
【００７５】
図８および図９を参照して、押し込み部３８１，３８１は、側面視ほぼ扇形状に形成されており、操作つまみ３３内に設けられている回転体３８２，３８２と一体に連結されている。各押し込み部３８１は、回転体３８２の周縁の一部分に一体に形成されることが好ましいが、回転体３８２の回転軸に連結されてもよい。
【００７６】
回転体３８２，３８２は、スライド板３４の支持板３５とリンク板３８３，３８３を介して連結されている。リンク板３８３，３８３の各一端は、回転体３８２，３８２の偏心位置に連結され、これによって、回転−直線運動変換機構を構成している。
【００７７】
なお、板バネ３７によりスライド板３４が回路基板３１側に向けて付勢され、その接点金具３６が回路基板３１に接触している状態のとき、押し込み部３８１，３８１が、操作つまみ３３の側面と同一面に現れるか、もしくは側面から突出するように、回転体３８２，３８２に対するリンク板３８３，３８３の各一端の連結位置を調整するにあたっては、図８に示すように、各リンク板３８３，３８３を垂直とすることが好ましい。
【００７８】
動作としては、操作つまみ３３をスライドさせる際に、例えば親指と人差し指とで押し込み部３８１，３８１を押し込む。
【００７９】
そうすると、図９に示すように、一方の左側の回転体３８２が時計方向，他方の右側の回転体３８２が反時計方向に所定角度回転し、スライド板３４が板バネ３７の付勢力に抗して持ち上げられ、回路基板３１に対して接点金具３６を非接触とすることができる。
【００８０】
回路基板３１に対して接点金具３６を非接触として、操作つまみ３３を所定位置までスライドさせた後、押し込み部３８１，３８１から指を離すと、板バネ３７の付勢力によりスライダ板３４が下降し、接点金具３６がスライド後の位置に対応する被選択接点に接触する。
【００８１】
このように、第３実施形態に係るスライドスイッチ３０によっても、上記第１，第２実施形態と同じく、接点切り替え時に、接点金具３６が回路基板３１上のレジストやパターンと接触することがなく、レジストの削り粉による接触不良やパターン接触による接点金具３６の損傷を防ぐことができる。
【００８２】
なお、上記第２実施形態で説明したスライド板昇降手段の構成、すなわち、左右一対の押し込みスイッチ２９，２９に、回転軸２６の頭部２６２の下端縁２６２ａに当接する押し上げ傾斜面を有するカム２９３ａを設ける、という構成を上記第３実施形態に係るスライドスイッチ３０にも適用することも可能である。
【００８３】
また、上記各実施形態において、回路基板に形成される被選択接点の個数や配置は任意に決められてよい。
【符号の説明】
【００８４】
１０，２０  ロータリースイッチ
１１，２１，３１  回路基板
１２，２２，３２  上ケース
１３，２３，３３  操作つまみ
１３１，２３１  つまみ部
１４，２４，３４  スライダ板
１５，２５，３６  接点金具
１６，２６  回転軸
１８，２８  圧縮コイルバネ
１９，２９，３８  押し込みスイッチ
１９１，２９１，３８１  押し込み部
１９３  押し下げカム
２９３  押し上げカム
２６１  首部
２６２  頭部
３５  支持板
３７  板バネ
３８２  回転体
３８３  リンク板
【図１】
0005731886.tif 000002
【図２】
0005731886.tif 000003
【図３】
0005731886.tif 000004
【図４】
0005731886.tif 000005
【図５】
0005731886.tif 000006
【図６】
0005731886.tif 000007
【図７】
0005731886.tif 000008
【図８】
0005731886.tif 000009
【図９】
0005731886.tif 000010
【図１０】
0005731886.tif 000011
【図１１】
0005731886.tif 000012